【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
被写体像を撮像して撮像画像データを生成する撮像手段を備えたデジタルカメラにおいて、
少なくとも前記撮像画像データを記憶する半導体記憶装置と、
少なくとも前記撮像画像データを記憶するハードディスク装置と、
前記撮像手段により生成された撮像画像データを、前記半導体記憶装置に記憶させる第１の記憶制御手段と、
前記半導体記憶装置に記憶された撮像画像データを、前記ハードディスク装置に記憶させる第２の記憶制御手段と、
所定のセンサの検出値に基づいて、前記デジタルカメラに対する衝撃が発生する可能性があるか否かを判別する衝撃判別手段と、
前記衝撃判別手段が前記デジタルカメラに対する衝撃が発生する可能性があると判別した場合、前記ハードディスク装置に対する保護動作を実行する耐衝撃動作実行手段と、
を備えること特徴とするデジタルカメラ。
【請求項２】
ブレ補正機能を備え、
前記所定のセンサは、前記ブレ補正機能の動作に用いられる、
こと特徴とする請求項１記載のデジタルカメラ。
【請求項３】
被写体像を撮像して撮像画像データを生成する撮像手段を備えたデジタルカメラにおいて、
前記デジタルカメラに装着されている記憶媒体の種類を判別する記憶媒体判別手段と、
前記記憶媒体判別手段が前記デジタルカメラに装着されている記憶媒体の種類がハードディスクカードおよびメモリカードであると判別した場合、前記メモリカードの記憶領域の中にバックアップ記憶領域を生成する記憶領域生成手段と、
前記撮像手段により生成された撮像画像データを、前記記憶領域生成手段により生成されたバックアップ記憶領域に記憶させる第１の記憶制御手段と、
前記バックアップ記憶領域に記憶された撮像画像データを、前記ハードディスクカードに記憶させる第２の記憶制御手段と、
所定のセンサの検出値に基づいて、前記デジタルカメラに対する衝撃が発生する可能性があるか否かを判別する衝撃判別手段と、
前記衝撃判別手段が前記デジタルカメラに対する衝撃が発生する可能性があると判別した場合、前記ハードディスクカードに対する保護動作を実行する耐衝撃動作実行手段と、
を備えること特徴とするデジタルカメラ。
【請求項４】
前記第２の記憶制御手段は、前記バックアップ記憶領域に記憶されている撮像画像データを前記ハードディスクカードに記憶させるとともに、前記バックアップ記憶領域に前記撮像画像データを記憶させたままにしておく、
ことを特徴とする請求項３に記載のデジタルカメラ。
【請求項５】
ブレ補正機能を備え、
前記所定のセンサは、前記ブレ補正機能の動作に用いられる、
こと特徴とする請求項３又は４に記載のデジタルカメラ。
【請求項６】
被写体像を撮像して撮像画像データを生成する撮像手段と、少なくとも前記撮像画像データを記憶する半導体記憶装置と、少なくとも前記撮像画像データを記憶するハードディスク装置と、を備えるデジタルカメラを制御するコンピュータに、
前記撮像手段により生成された撮像画像データを前記半導体記憶装置に記憶させる機能と、
前記半導体記憶装置に記憶された撮像画像データを、前記ハードディスク装置に記憶させる機能と、
所定のセンサの検出値に基づいて、前記デジタルカメラに対する衝撃が発生する可能性があるか否かを判別する機能と、
前記デジタルカメラに対する衝撃が発生する可能性があると判別された場合、前記ハードディスク装置を制御するための制御信号を生成し、前記ハードディスク装置に対する保護動作を実行する機能と、
を実現させることを特徴とするプログラム。
【請求項７】
被写体像を撮像して撮像画像データを生成する撮像手段を備えるデジタルカメラを制御するコンピュータに、
前記デジタルカメラに装着されている記憶媒体の種類を判別する機能と、
前記デジタルカメラに装着された記憶媒体の種類がハードディスクカードおよびメモリカードであると判別された場合、前記メモリカードの記憶領域の中にバックアップ記憶領域を生成する機能と、
前記撮像手段により生成された撮像画像データを、前記生成されたバックアップ記憶領域に記憶させる機能と、
前記バックアップ領域に記憶された撮像画像データを、前記ハードディスクカードに記憶させる機能と、
所定のセンサの検出値に基づいて、前記デジタルカメラに対する衝撃が発生する可能性があるか否かを判別する機能と、
前記デジタルカメラに対する衝撃が発生する可能性があると判別された場合、前記ハードディスクカードを制御するための制御信号を生成し、前記ハードディスクカードに対する保護動作を実行する機能と、
を実現させることを特徴とするプログラム。
【手続補正２】
【補正対象書類名】明細書
【補正対象項目名】０００９
【補正方法】変更
【補正の内容】
【０００９】
上記目的を達成するため、本発明の第１の観点に係るデジタルカメラは、被写体像を撮像して撮像画像データを生成する撮像手段と、少なくとも前記撮像画像データを記憶する半導体記憶装置と、少なくとも前記撮像画像データを記憶するハードディスク装置と、前記撮像手段により生成された撮像画像データを、前記半導体記憶装置に記憶させる第１の記憶制御手段と、前記半導体記憶装置に記憶された撮像画像データを、前記ハードディスク装置に記憶させる第２の記憶制御手段と、所定のセンサの検出値に基づいて、前記デジタルカメラに対する衝撃が発生する可能性があるか否かを判別する衝撃判別手段と、前記衝撃判別手段が前記デジタルカメラに対する衝撃が発生する可能性があると判別した場合、前記ハードディスク装置に対する保護動作を実行する耐衝撃動作実行手段と、を備えること特徴とする。
【手続補正３】
【補正対象書類名】明細書
【補正対象項目名】００１０
【補正方法】変更
【補正の内容】
【００１０】
上記デジタルカメラは、ブレ補正機能を備え、前記所定のセンサは、前記ブレ補正機能の動作に用いられる、ことが望ましい。
【手続補正４】
【補正対象書類名】明細書
【補正対象項目名】００１１
【補正方法】変更
【補正の内容】
【００１１】
また、上記目的を達成するため、本発明の第２の観点に係るデジタルカメラは、被写体像を撮像して撮像画像データを生成する撮像手段と、前記デジタルカメラに装着されている記憶媒体の種類を判別する記憶媒体判別手段と、前記記憶媒体判別手段が前記デジタルカメラに装着されている記憶媒体の種類がハードディスクカードおよびメモリカードであると判別した場合、前記メモリカードの記憶領域の中にバックアップ記憶領域を生成する記憶領域生成手段と、前記撮像手段により生成された撮像画像データを、前記記憶領域生成手段により生成されたバックアップ記憶領域に記憶させる第１の記憶制御手段と、前記バックアップ記憶領域に記憶された撮像画像データを、前記ハードディスクカードに記憶させる第２の記憶制御手段と、所定のセンサの検出値に基づいて、前記デジタルカメラに対する衝撃が発生する可能性があるか否かを判別する衝撃判別手段と、前記衝撃判別手段が前記デジタルカメラに対する衝撃が発生する可能性があると判別した場合、前記ハードディスクカードに対する保護動作を実行する耐衝撃動作実行手段と、を備えること特徴とする。
【手続補正５】
【補正対象書類名】明細書
【補正対象項目名】００１２
【補正方法】変更
【補正の内容】
【００１２】
上記デジタルカメラにおいては、前記第２の記憶制御手段は、前記バックアップ記憶領域に記憶されている撮像画像データを前記ハードディスクカードに記憶させるとともに、前記バックアップ記憶領域に前記撮像画像データを記憶させたままにしておく、ことが望ましい。
【手続補正６】
【補正対象書類名】明細書
【補正対象項目名】００１３
【補正方法】変更
【補正の内容】
【００１３】
上記デジタルカメラにおいては、ブレ補正機能を備え、前記所定のセンサは、前記ブレ補正機能の動作に用いられる、ことが望ましい。
【手続補正７】
【補正対象書類名】明細書
【補正対象項目名】００１４
【補正方法】変更
【補正の内容】
【００１４】
また、上記目的を達成するため、本発明の第３の観点に係るプログラムは、被写体像を撮像して撮像画像データを生成する撮像手段と、少なくとも前記撮像画像データを記憶する半導体記憶装置と、少なくとも前記撮像画像データを記憶するハードディスク装置と、を備えるデジタルカメラを制御するコンピュータに、前記撮像手段により生成された撮像画像データを前記半導体記憶装置に記憶させる機能と、前記半導体記憶装置に記憶された撮像画像データを、前記ハードディスク装置に記憶させる機能と、所定のセンサの検出値に基づいて、前記デジタルカメラに対する衝撃が発生する可能性があるか否かを判別する機能と、前記デジタルカメラに対する衝撃が発生する可能性があると判別された場合、前記ハードディスク装置を制御するための制御信号を生成し、前記ハードディスク装置に対する保護動作を実行する機能と、を実現させることを特徴とする。
【手続補正８】
【補正対象書類名】明細書
【補正対象項目名】００１５
【補正方法】変更
【補正の内容】
【００１５】
また、上記目的を達成するため、本発明の第４の観点に係るプログラムは、被写体像を撮像して撮像画像データを生成する撮像手段を備えるデジタルカメラを制御するコンピュータに、前記デジタルカメラに装着されている記憶媒体の種類を判別する機能と、前記デジタルカメラに装着された記憶媒体の種類がハードディスクカードおよびメモリカードであると判別された場合、前記メモリカードの記憶領域の中にバックアップ記憶領域を生成する機能と、前記撮像手段により生成された撮像画像データを、前記生成されたバックアップ記憶領域に記憶させる機能と、前記バックアップ領域に記憶された撮像画像データを、前記ハードディスクカードに記憶させる機能と、所定のセンサの検出値に基づいて、前記デジタルカメラに対する衝撃が発生する可能性があるか否かを判別する機能と、前記デジタルカメラに対する衝撃が発生する可能性があると判別された場合、前記ハードディスクカードを制御するための制御信号を生成し、前記ハードディスクカードに対する保護動作を実行する機能と、を実現させることを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】